(57)【要約】【課題】画像形成装置において、運搬時等に振動や衝撃等が加わってもポリゴン走査部が破損しにくいようにする。【解決手段】画像形成装置は、レーザスキャンユニット（ＬＳＵ）５を用いた電子写真方式により記録紙に画像を形成する。ＬＳＵ５のユニットハウジング５０の内部には、ポリゴンミラー５２ｂを回動させレーザビームＬを走査するポリゴン走査部５２と、ｆθレンズ５３と、走査されたレーザビームＬを反射する照射ミラー５４等が収納されている。ユニットハウジング５０の上面を覆うユニットカバー５５のうち、ポリゴン走査部５２と対向する部位には、ポリゴン走査部５２に向け、ポリゴン走査部５２近傍部位まで突設され、その下面にスポンジ部材であるパッド５６を有する支持部５５ａが形成されている。装置に振動等が加わりポリゴンミラー５２ｂが上方に変位しても、ポリゴン走査部５２がパッド５６に当接することにより衝撃が吸収される。【選択図】図３
2008170804.tif 000002
【特許請求の範囲】
【請求項１】
筐体と、
前記筐体に取り付けられ、記録紙が載置される給紙カセットと、
前記給紙カセットに載置された記録紙を、前記筐体内部で搬送し、前記筐体内部で搬送された記録紙を前記筐体上部の排紙トレイに排出する記録紙搬送機構と、
前記筐体の内部に配設され、前記記録紙搬送機構により搬送される記録紙に画像を形成する画像形成部とを備え、
前記画像形成部は、
記録紙の搬送方向と略直交する主走査方向が長手方向となるように配設され、その表面に感光体層が形成された感光体ドラムと、
前記感光体ドラムの表面を略均一に帯電させる帯電手段と、
前記感光体ドラムの表面にレーザビームを走査させながら照射して潜像を形成するレーザスキャンユニットと、
前記感光体ドラムの表面のうち潜像が形成された部分にトナーを付着させてトナー像を形成する現像装置と、
前記感光体ドラムのうち、前記現像装置よりも感光体ドラムの回転方向下流側の所定の転写位置において、前記感光体ドラムの表面に対向するように設けられ、前記感光体ドラムの表面に形成されたトナー像を記録紙上に転写させる転写ローラと、
前記筐体内部に配置され、トナー像が転写された記録紙に所定の熱及び圧力を与えてトナー像を記録紙上に定着させる定着ローラとを有し、
前記レーザスキャンユニットは、レーザビームを出射する発光素子と、複数の反射面を有するポリゴンミラーをモータ部により回動させながらその反射面により前記発光素子から出射されたレーザビームを反射して走査するポリゴン走査部と、上方に開口し、前記ポリゴン走査部が内底面に配置されるユニットハウジングと、そのユニットハウジング上部の開口を覆うユニットカバーとを有する画像形成装置において、
前記ユニットカバーの前記ポリゴン走査部に対向する部位には、前記ポリゴン走査部に向け、前記ポリゴン走査部近傍部位まで突設された支持部が一体に形成されており、
前記支持部の前記ポリゴン走査部側の表面には、スポンジ部材からなるパッドが配置されており、
画像形成装置の運搬時に、画像形成装置に衝撃／振動が加わり、前記ポリゴン走査部が上方に変位しても、前記支持部のスポンジ部材に前記ポリゴンミラーがすぐに当接することにより、前記ポリゴン走査部が破損しにくいように構成されていることを特徴とする画像形成装置。
【請求項２】
記録紙を筐体内部で搬送しながら、搬送される記録紙に、レーザスキャンユニット及びレーザスキャンユニットによりレーザビームが照射される感光体ドラムを用いた電子写真方式により画像を形成する画像形成装置であって、
前記レーザスキャンユニットは、レーザビームを出射する発光素子と、複数の反射面を有するポリゴンミラーをモータ部により回動させながら、その反射面により前記発光素子から出射されたレーザビームを反射して走査するポリゴン走査部と、前記ポリゴン走査部が配置されたユニットハウジングとを有しており、
前記レーザスキャンユニット又は前記筐体のうち、前記ポリゴン走査部の回動軸方向で前記ポリゴン走査部に対向する部位には、前記ポリゴン走査部との間隔が狭くなるように、支持部が立設されていることを特徴とする画像形成装置。
【請求項３】
前記支持部の前記ポリゴン走査部側の表面には、緩衝材からなるパッドが配置されていることを特徴とする請求項２に記載の画像形成装置。
【発明の詳細な説明】
【技術分野】
【０００１】
本発明は、レーザスキャンユニットを用いたいわゆる電子写真方式により記録紙上に画像を形成する画像形成装置に関する。
【背景技術】
【０００２】
一般に、レーザビームを用いた電子写真方式により記録紙に画像を形成する画像形成装置においては、筐体内部に配置されたレーザスキャンユニット（以下、ＬＳＵと称する）から主走査方向にレーザビームを走査して、感光体ドラム上にトナー像を形成する。そして、記録紙を搬送しながらその記録紙上にトナー像を転写した後に、定着ローラにより記録紙を加圧及び加熱することによりトナー像を定着させ、記録紙上に画像を形成する。ＬＳＵは、例えば、特許文献１に示されているように、レーザビームを出射するレーザダイオードや、ポリゴンミラーを駆動モータにより回動させてレーザダイオードから出射されたレーザビームを走査するポリゴン走査部等により構成されており、レーザビームが乱反射するなどしてユーザ等に向け照射されてしまわないように、ユニットハウジング等により覆われて配置されている。
【０００３】
ところで、このような画像形成装置において、ポリゴンミラーが駆動モータに対し回動軸方向にスライド可能に配置されているようなポリゴン走査部を用いた場合、例えば画像形成装置の運搬時等に画像形成装置に衝撃等が加わると、ポリゴンミラーが変位してユニットハウジングの内面に当たることがあり、ポリゴン走査部が破損してしまうことがあった。特許文献１には、ＬＳＵが回動ユニットに配置されているような画像形成装置において、回動ユニットの回動に応じてポリゴン走査部のシャフトを押さえつけるように押さえ部材を配置した構成が記載されているが、この構造は、通常使用時のポリゴン走査部の変位を抑えるものではなく、また、リンク機構を用いているため構成が複雑になるという問題がある。
【０００４】
他方、特許文献２には、例えば、ポリゴンミラーの軸部の凹部又は凸部に係合可能に環状のプリント基板を配置し、ポリゴン走査部を取り付ける際にポリゴン走査部を上下逆にしても、ポリゴンミラーが脱落しないようにしたＬＳＵの構造が示されている。しかしながら、このような構造では、特殊なプリント基板を用いる必要があり、ポリゴン走査部が高価になってしまうため、画像形成装置の製造コストが高くなる。また、特許文献３には、ポリゴン走査部をユニットハウジングに設けられた開口部に差し込むようにして取り付け可能に構成されたＬＳＵが記載されている。しかしながら、特許文献３には、上記問題点に対して有効な解決策は示されていない。
【特許文献１】特開平９‐２８８２４７号公報
【特許文献２】特開平４‐３１３７１９号公報
【特許文献３】特開２００２‐６２５０３号公報
【発明の開示】
【発明が解決しようとする課題】
【０００５】
本発明は、上記問題点を鑑みてなされたものであり、運搬時等に振動や衝撃等が加わってもポリゴン走査部が破損しにくく、製造コストが低い画像形成装置を提供することを目的とする。
【課題を解決するための手段】
【０００６】
上記目的を達成するため、請求項１の発明は、筐体と、前記筐体に取り付けられ、記録紙が載置される給紙カセットと、前記給紙カセットに載置された記録紙を、前記筐体内部で搬送し、前記筐体内部で搬送された記録紙を前記筐体上部の排紙トレイに排出する記録紙搬送機構と、前記筐体の内部に配設され、前記記録紙搬送機構により搬送される記録紙に画像を形成する画像形成部とを備え、前記画像形成部は、記録紙の搬送方向と略直交する主走査方向が長手方向となるように配設され、その表面に感光体層が形成された感光体ドラムと、前記感光体ドラムの表面を略均一に帯電させる帯電手段と、前記感光体ドラムの表面にレーザビームを走査させながら照射して潜像を形成するレーザスキャンユニットと、前記感光体ドラムの表面のうち潜像が形成された部分にトナーを付着させてトナー像を形成する現像装置と、前記感光体ドラムのうち、前記現像装置よりも感光体ドラムの回転方向下流側の所定の転写位置において、前記感光体ドラムの表面に対向するように設けられ、前記感光体ドラムの表面に形成されたトナー像を記録紙上に転写させる転写ローラと、前記筐体内部に配置され、トナー像が転写された記録紙に所定の熱及び圧力を与えてトナー像を記録紙上に定着させる定着ローラとを有し、前記レーザスキャンユニットは、レーザビームを出射する発光素子と、複数の反射面を有するポリゴンミラーをモータ部により回動させながらその反射面により前記発光素子から出射されたレーザビームを反射して走査するポリゴン走査部と、上方に開口し、前記ポリゴン走査部が内底面に配置されるユニットハウジングと、そのユニットハウジング上部の開口を覆うユニットカバーとを有する画像形成装置において、前記ユニットカバーの前記ポリゴン走査部に対向する部位には、前記ポリゴン走査部に向け、前記ポリゴン走査部近傍部位まで突設された支持部が一体に形成されており、前記支持部の前記ポリゴン走査部側の表面には、スポンジ部材からなるパッドが配置されており、画像形成装置の運搬時に、画像形成装置に衝撃／振動が加わり、前記ポリゴン走査部が上方に変位しても、前記支持部のパッドに前記ポリゴンミラーがすぐに当接することにより、前記ポリゴン走査部が破損しにくいように構成されているものである。
【０００７】
請求項２の発明は、記録紙を筐体内部で搬送しながら、搬送される記録紙に、レーザスキャンユニット及びレーザスキャンユニットによりレーザビームが照射される感光体ドラムを用いた電子写真方式により画像を形成する画像形成装置であって、前記レーザスキャンユニットは、レーザビームを出射する発光素子と、複数の反射面を有するポリゴンミラーをモータ部により回動させながら、その反射面により前記発光素子から出射されたレーザビームを反射して走査するポリゴン走査部と、前記ポリゴン走査部が配置されたユニットハウジングとを有しており、前記レーザスキャンユニット又は前記筐体のうち、前記ポリゴン走査部の回動軸方向で前記ポリゴン走査部に対向する部位には、前記ポリゴン走査部との間隔が狭くなるように、支持部が立設されているものである。
【０００８】
請求項３の発明は、請求項２の発明において、前記支持部の前記ポリゴン走査部側の表面には、緩衝材からなるパッドが配置されているものである。
【発明の効果】
【０００９】
請求項１の発明によれば、ユニットカバーに、ポリゴン走査部近傍部位まで突設された支持部が形成されており、その支持部のポリゴン走査部側の表面にはスポンジ部材からなるパッドが配置されているので、画像形成装置の運搬時等に画像形成装置に衝撃や振動等が加わってポリゴン走査部が上方に変位しても、ポリゴンミラーがすぐにパッドに当接する。衝撃がパッドにより吸収されることにより、ポリゴンミラーに衝撃が加わりにくいので、ポリゴン走査部が破損しにくくなる。また、支持部は、ユニットカバーに一体に形成されているので、部品点数が増加することなく、画像形成装置の製造コストを低く保つことができる。
【００１０】
請求項２の発明によれば、レーザスキャンユニット又は筐体のうち、ポリゴン走査部に対向する部位に、ポリゴン走査部との間隔が狭くなるように支持部が立設されているので、画像形成装置の運搬時等に、画像形成装置に衝撃や振動等が加わってポリゴン走査部が支持部に向け回動軸方向に変位しても、ポリゴンミラーがすぐに支持部に当接する。従って、ポリゴン走査部に対向する部位に支持部が設けられていない場合と比べて、ポリゴンミラーが変位したときのポリゴンミラーに加わる衝撃が弱くなるので、ポリゴン走査部が破損しにくくなる。
【００１１】
請求項３の発明によれば、支持部のうち、ポリゴン走査部側の表面には、緩衝材からなるパッドが配置されているので、画像形成装置に衝撃や振動等が加わってポリゴン走査部が変位したとき、ポリゴンミラーがパッドに当接する。従って、ポリゴンミラーに加わる衝撃がパッドにより吸収され、さらにポリゴンミラーが破損しにくくなる。
【発明を実施するための最良の形態】
【００１２】
以下、本発明の一実施形態について図面を参照しつつ説明する。図１は、本実施形態に係る画像形成装置を示す。この画像形成装置１は、いわゆるレーザビームプリンタであって、例えば外部のパーソナルコンピュータ等と接続され、そのパーソナルコンピュータ等から送られた画像データに基づいて、いわゆる電子写真方式により記録紙Ｐに画像を形成（プリント）する。画像形成装置１は、筐体１００の下部に配置され、プリントされていない記録紙Ｐが略水平に載置される給紙カセット１１０と、筐体１００の上部に設けられ筐体１００内から排出された記録紙Ｐが載置される排紙トレイ１２０と、給紙カセット１１０に装填された記録紙Ｐを筐体１００内部に搬送すると共に、筐体１００内部から排紙トレイ１２０に記録紙Ｐを排出する記録紙搬送機構２０と、記録紙搬送機構２０により搬送された記録紙Ｐに電子画像を形成する画像形成部１０とを備えている。本実施形態において、図に示すように、筐体１００の前面上部には、開閉パネル１００ａが、軸部１００ｂを中心に筐体１００に対し回動させて開閉可能に配設されており、開閉パネル１００ａを開状態として、メンテナンス作業等を行うことができるように構成されている。給紙カセット１１０は、筐体１００に対し前方に引き出し自在に設けられている。この画像形成装置１は、給紙カセット１１０を筐体１００から引き出すことにより、記録紙Ｐを装填して載置可能になるように構成されている。なお、給紙カセット１１０は、記録紙Ｐを外部から差し込むようにして載置可能になるように筐体１００に固定されていてもよい。
【００１３】
筐体１００内部の前面側の部位には、給紙カセット１１０から搬送される記録紙Ｐを画像形成部１０にガイドするための記録紙ガイド１５が配置されている。他方、筐体１００内部の背面側の部位には、後述のように画像形成部１０にてプリントされた記録紙Ｐを上方の排紙トレイ１２０に向けてガイドするように形成された排紙ガイド１６が配置されている。
【００１４】
記録紙搬送機構２０は、給紙カセット１１０の上方に配置されているピックアップローラ２１と、筐体１００の内部で記録紙Ｐを搬送する搬送ローラ２２と、筐体１００から排紙トレイ１２０上に記録紙Ｐを排出する排出ローラ２３と、これらのローラを駆動するモータ（図示せず）等で構成されている。ピックアップローラ２１は、給紙カセット１１０に載置された記録紙Ｐのうち最も上方のものに当接して回動することにより、その記録紙Ｐを筐体１００前方（矢印Ｈ方向）に向け給紙する。そして、給紙された記録紙Ｐは、搬送ローラ２２により記録紙ガイド１５に沿って上方に折り返されるように搬送され、画像形成部１０に搬送される。画像形成部１０では、記録紙Ｐは、略水平に筐体１００後方（矢印Ｆ方向）に搬送されながら、後述するようにプリントされる。そして、プリントされた記録紙Ｐは、排紙ガイド１６に沿って上方に搬送されて折り返され、排出ローラ２３により、プリント時の搬送方向とは略反対方向となる前方（矢印Ｅ方向）に向け、排紙トレイ１２０上に排出される。
【００１５】
画像形成部１０は、表面に感光体層が形成された感光体ドラム２と、感光体ドラム２の周囲に配置された、クリーナ３、帯電器（帯電手段）４、レーザスキャンユニット（ＬＳＵ）５、及び現像ブラシ（現像装置）６と、転写ローラ７と、転写ローラ７に対して記録紙Ｐの搬送方向の下流側に配置されている定着ローラ８等によって構成されている。これらの感光体ドラム２やローラ等は、記録紙Ｐの搬送方向に略直交する主走査方向が長手方向となるように、筐体１００の内部のフレームに取り付けられている。
【００１６】
クリーナ３は、感光体ドラム２の表面に付着している１行程（１回転）前のトナー及び紙粉を除去し、感光体ドラム２の表面を清掃する。帯電器４は、クリーナ３によって清掃された感光体ドラム２の表面を均一に帯電させる。ＬＳＵ５は、例えば、感光体ドラム２の上方に配置されており、レーザビームＬを、帯電器４によって帯電された感光体ドラム２の表面に走査させながら照射することにより、感光体ドラム２の表面上に潜像を形成する。なお、ＬＳＵ５は、電源装置（図示せず）によって給電されており、その電源装置によりレーザビームＬを発光するための駆動電圧が印加される。現像ブラシ６は、トナーが充填されたトナーカートリッジ６ａに装着されており、感光体ドラム２の表面のうち潜像が形成された部分にトナーを付着させてトナー像を形成する。
【００１７】
転写ローラ７は、感光体ドラム２の回転方向（図の矢印Ｒ方向）の現像ブラシ６よりも下流側の所定の転写位置において感光体ドラム２の表面に対向するように設けられている。転写ローラ７は、記録紙Ｐを感光体ドラム２の表面に押圧しながら回動することにより記録紙Ｐの表面を帯電させて、感光体ドラム２の表面に形成されたトナー像を記録紙Ｐの上に転写させる。転写ローラ７には、記録紙Ｐの表面を帯電させるための転写電圧が電源装置より印加される。転写ローラ７によって表面に画像が形成された記録紙Ｐは、定着ローラ８に搬送される。定着ローラ８は、それに対向して配置された押圧ローラ８ａとの間に記録紙Ｐを挟みつつ、記録紙Ｐに熱と圧力を加えてトナーを定着させる。トナー定着のための熱は、定着ローラ８に内蔵されているヒータ（例えば、ハロゲンランプ等）から供給される。ヒータは、定着電圧が電源装置により印加されて発熱する。定着ローラ８は、発熱した熱により筐体１００内部の全体が高温になってしまわないように、その熱が上方に放熱されるように、できるだけ筐体１００の上方に配置されるように構成されている。
【００１８】
図２及び図３は、この画像形成装置１のＬＳＵ５を示す。ＬＳＵ５は、筐体１００のフレームに取り付けられるユニットハウジング５０の内部に、レーザビームＬを主走査方向（図の矢印Ａ方向）に走査し、下方の感光体ドラム２に向けて照射する走査部５ａが収納されて構成されている。記録紙Ｐは、図に矢印Ｆで示す搬送方向に搬送される。ユニットハウジング５０は、例えば樹脂製であり、上方に開口している。ユニットハウジング５０の上方の開口は、例えば板金製のユニットカバー５５が取り付けられて封止されている。それにより、ＬＳＵ５は、感光体ドラム２への方向とは他方向にレーザビームが出射されることがなく、ユーザの安全が保たれるように構成されており、また、ＬＳＵ５の内部に外部から粉塵等が侵入しにくく、常に適正にレーザビームＬを照射できるように構成されている。
【００１９】
走査部５ａは、レーザビームＬを出力する半導体レーザ（発光素子）５１と、半導体レーザ５１から出力されたレーザビームＬを走査するポリゴン走査部５２と、ポリゴン走査部５２により走査されたレーザビームＬの反射角度に応じて収差を補正するｆθレンズ５３と、ｆθレンズ５３を透過したレーザビームＬを感光体ドラム２に向け反射させ、感光体ドラム２の表面に照射する照射ミラー５４等で構成されている。図２に示すように、ユニットハウジング５０のうち照射ミラー５４に対応する位置には、投射開口５０ａが形成されている。照射ミラー５４で反射されたレーザビームＬは、投射開口５０ａを介してＬＳＵ５の外部に出て、感光体ドラム２の表面に照射される。
【００２０】
図に示すように、ポリゴン走査部５２は、モータ部５２ａと、モータ部５２ａに回動可能に軸支されて駆動されるポリゴンミラー５２ｂと、ポリゴンミラー５２ｂを回動させるための駆動回路が搭載され、モータ部５２ａと共にユニットハウジング５０の内底面に配置された回路基板５２ｃ等で構成されている。ポリゴン走査部５２は、ポリゴンミラー５２ｂが図の矢印Ｍで示すように略水平に回動するように配置されている。
【００２１】
モータ部５２ａは、例えばポリゴンミラー５２ｂの回動軸５２ｄの軸受及びコイル等で構成されており、回路基板５２ｃ上の駆動回路により制御されて、ポリゴンミラー５２ｂを回動させる。ポリゴンミラー５２ｂは、回動軸５２ｄの中心について点対称に６枚の反射面が側面に配置された、略正六角柱形状である。ポリゴンミラー５２ｂは、モータ部５２ａに対して回動抵抗が少なくなるように軸支されており、図３に白抜き矢印で示すように、回動軸５２ｄと共に、回動軸５２ｄ方向の上方にスライド可能に構成されている。ポリゴン走査部５２は、ポリゴンミラー５２ｂを回動させながら、半導体レーザ５１からのレーザビームＬをポリゴンミラー５２ｂの各反射面で反射することにより、レーザビームＬを走査する。
【００２２】
ここで、本実施形態において、ユニットカバー５５のポリゴン走査部５２に対向する部位には、回動軸５２ｄの長手方向下方に、すなわちポリゴン走査部５２に向け、支持部５５ａが突設されている。支持部５５ａは、ポリゴン走査部５２の回動軸５２ｄを中心とする略椀型に突出するように形成されている。図３に示すように、支持部５５ａのポリゴン走査部５２側の表面、すなわちポリゴン走査部５２の下表面には、例えばスポンジ部材からなるパッド５６が貼り付けられている。支持部５５ａは、ポリゴン走査部５２の通常動作時において、パッド５６とポリゴンミラー５２ｂの上面との間隔がわずかに確保される程度に、その下端部がポリゴン走査部５２の近傍部位となるように形成されている。なお、パッドは、ゴム部材等の緩衝材により構成されていてもよい。
【００２３】
なお、本実施形態において、図に示すように、回動軸５２ｄの上端部がポリゴンミラー５２ｂの上面からわずかに突出している。そのため、ポリゴン走査部５２の通常動作時にパッド５６が回動軸５２ｄに当接しないように、支持部５５ａのうち回動軸５２ｄに対向する部位は、ポリゴンミラー５２ｂに対向する部位よりもユニットカバー５５上面からの突出量が小さくなるような、側断面略Ｗ字形状となるように構成されている。支持部５５ａは、例えば、ユニットカバー５５の板金材をプレスすること等により、ユニットカバー５５に一体に形成されている。
【００２４】
このように、本実施形態においては、ユニットカバー５５にパッド５６が配置された支持部５５ａが形成されているので、画像形成装置１の運搬時等に、画像形成装置１に衝撃や振動等が加わってポリゴン走査部５２のポリゴンミラー５２ｂが上方に変位しても、ポリゴンミラー５２ｂがすぐにパッド５６に当接する。このとき、ポリゴンミラー５２ｂへの衝撃がパッド５６により吸収されるので、ポリゴンミラー５２ｂに衝撃が加わりにくく、ポリゴン走査部５２が破損しにくくなる。また、支持部５５ａは、ユニットカバー５５に一体に形成されているので、ＬＳＵ５の部品点数が増加することなく、画像形成装置１の製造コストを低く保つことができる。
【００２５】
なお、本発明は上記実施形態の構成に限定されるものではなく、発明の趣旨を変更しない範囲で適宜に種々の変形が可能である。例えば、ユニットカバーは、例えば樹脂製であってもよく、支持部が一体成型により形成されることにより、上述と同様に、画像形成装置の製造コストを低く保つことができる。また、支持部には、パッドが配置されていなくてもよく、この場合であっても、ポリゴンミラーが変位したとき、すぐにポリゴンミラーが支持部に当接するので、支持部が設けられていない場合と比べて、ポリゴンミラーが変位したときのポリゴンミラーに加わる衝撃が弱くなり、ポリゴン走査部が破損しにくくなる。
【００２６】
また、支持部は、ユニットカバーとは別体に設けられていてもよく、ユニットカバーのポリゴン走査部に対向する部位に、ポリゴン走査部との間の間隔が狭くなるように立設されていればよい。そしてまた、本発明は、例えば、ＬＳＵのユニットハウジングが、筐体のフレームにとりつけられたとき、そのフレームにより封止されるように構成されている場合にも適用可能なものであり、フレームのうちポリゴン走査部に対向する部位に、上述と同様な支持部が設けられることにより、ポリゴンミラーが変位したときのポリゴンミラーに加わる衝撃を弱くすることができ、ポリゴン走査部が破損しにくくなる。
【図面の簡単な説明】
【００２７】
【図１】本発明の一実施形態に係る画像形成装置の一例を示す側面図。
【図２】上記装置のレーザスキャンユニットを示す斜視図。
【図３】上記レーザスキャンユニットの側断面図。
【符号の説明】
【００２８】
１  画像形成装置
２  感光体ドラム
４  帯電器（帯電手段）
５  ＬＳＵ（レーザスキャンユニット）
６  現像ブラシ（現像装置）
７  転写ローラ
８  定着ローラ
１０  画像形成部
２０  記録紙搬送機構
５０  ユニットハウジング
５１  半導体レーザ（発光素子）
５２  ポリゴン走査部
５２ａ  モータ部
５２ｂ  ポリゴンミラー
５２ｄ  回動軸
５５  ユニットカバー
５５ａ  支持部
５６  パッド
１００  筐体
１１０  給紙カセット
１２０  排紙トレイ
Ｆ  搬送方向
Ｌ  レーザビーム
Ｐ  記録紙  
【図１】
2008170804.tif 000003
【図２】
2008170804.tif 000004
【図３】
2008170804.tif 000005